(57)【要約】【課題】トランクス型のパンツ本体内に男性局部のサポータを備えたパンツについて、サポータのフィット感とトランクスの開放感を高いレベルで両立させ、サポータに高機能を付加する。【解決手段】パンツ本体１０とサポータ２０とを別体の生地から形成して、パンツ本体１０に開放感に優れる生地を使用し、サポータ２０にフィット感に優れた生地を使用する。フィット感と開放感を高いレベルで両立させることが可能となる。サポータ２０をメッシュ生地などの通気性生地や、ポリエステルなどの異形断面繊維の編物などの吸汗性生地から形成すると男性局部の蒸れを防止できる。またサポータ２０を接触冷感生地から形成すると涼しさが向上する。サポータ２０を、キルト素材、裏起毛素材、遠赤外線素材、発熱繊維素材、獣毛などの温感性生地から形成すると、暖かさが向上する。【選択図】図２
0003139306.tif 000002
【実用新案登録請求の範囲】
【請求項１】
トランクス型のパンツ本体と、このパンツ本体の正面内側に固着された男性局部のサポータとからなり、このパンツ本体とサポータとをそれぞれ別体の生地から構成し、このサポータの生地を機能性生地としたパンツ。
【請求項２】
前記機能性生地は、通気性生地である請求項１に記載のパンツ。
【請求項３】
前記機能性生地は、吸汗性生地である請求項１に記載のパンツ。
【請求項４】
前記機能性生地は、接触冷感性生地である請求項１に記載のパンツ。
【請求項５】
前記機能性生地は、温感性生地である請求項１に記載のパンツ。
【考案の詳細な説明】
【技術分野】
【０００１】
この考案は、トランクス型のパンツ本体内に男性局部のサポータを備えたパンツに関する。
【背景技術】
【０００２】
トランクス型のパンツ本体の正面内側に男性局部のサポータを備えたパンツが知られている。
このようなパンツは、パンツ本体がトランクスの開放感を有するとともに、サポータが男性局部を包み込むため、トランクスのフィット感をも併せ持つ。
【０００３】
このようなパンツの一例として、特許文献１のように、トランクス型のパンツ本体と男性局部のサポータとを同一の生地から一体的に形成したものがある。
【特許文献１】特許第３１４８８３３号公報
【考案の開示】
【考案が解決しようとする課題】
【０００４】
特許文献１のトランクス型パンツは、その構成上、パンツ本体とサポータの生地が常に同種である。
したがって、サポータのフィット感をより高めようとして、全体にたとえば伸縮に富むニット生地を用いると、パンツ本体も締め付け感が生じるため、トランクスの開放感が失われる。
また、トランクスの開放感をより高めようとして、全体にたとえば伸縮性をあまり有さない綿織物を用いると、サポータのフィット感が劣る。
さらに、特許文献１のパンツのサポータは、通常の生地から構成されているため、通気性などの機能性に特に優れることはなかった。
【０００５】
そこでこの考案は、トランクス型のパンツ本体内に男性局部のサポータを備えたパンツについて、サポータのフィット感とトランクスの開放感を高いレベルで両立させるとともに、サポータに高機能を付加することを課題とする。
【課題を解決するための手段】
【０００６】
上記課題を解決するため、トランクス型のパンツ本体と、このパンツ本体の正面内側に固着された男性局部のサポータとからなる考案にかかるパンツについて、このパンツ本体とサポータとをそれぞれ別体の生地から構成し、このサポータの生地を機能性生地としたのである。
【０００７】
パンツ本体とサポータを別体の生地から構成したので、たとえばパンツ本体はより開放感に優れる生地を使用し、サポータはよりフィット感に優れた生地を使用することで、サポータのフィット感とトランクスの開放感をより高いレベルで両立させることが可能となる。
【０００８】
また、サポータの生地を機能性生地としているので、サポータひいてはパンツに高機能が付加される。
ここで機能性生地とは、通気性生地、吸汗性生地、接触冷感性生地、温感性生地、芳香性生地、抗菌性生地、消臭防臭性生地を意味する。
【０００９】
サポータを通気性生地、例えばメッシュ生地から形成すると、サポータ内の男性局部の蒸れが防止される。
またサポータを吸汗性生地、例えばポリエステルなどの異形断面繊維の編物から形成しても同様の蒸れ防止効果が得られる。
【００１０】
サポータを接触冷感性生地（生地自体が接触冷感素材からなるか、または生地に接触冷感加工を施したもの）から形成すると涼しさが向上する。
【００１１】
サポータを、キルト素材、裏起毛素材、遠赤外線素材、発熱繊維素材、獣毛（ウール、カシミヤ、アンゴラ）などの温感性生地から形成すると、暖かさが向上する。
【考案の効果】
【００１２】
パンツのトランクス型のパンツ本体と男性局部のサポータとを別体の生地から構成したので、サポータのフィット感とトランクスの開放感を高いレベルで両立させることができ、サポータを機能性生地で形成したので、パンツに高機能が付加される。
【考案を実施するための最良の形態】
【００１３】
図１から図５に示す実施形態のパンツ１は、トランクス型のパンツ本体１０と、男性局部のサポータ２０とからなる。
トランクス型のパンツ本体１０は、下腹を被覆する筒状の胴部１１と、この胴部１１の下縁から二股に分かれて太腿を被覆する脚部１２とからなる。
胴部１１の上縁の履き口１１ａには、ゴム紐が挿入されてパンツ本体１０を装着した際にずり下がらないようになっており、また胴部１１の正面のほぼ中央には、放尿時に男性器を出し入れするための前開き１１ｂが設けられてボタン１１ｃにより開閉自在となっている。
つまりパンツ本体１０は、従来のトランクス型パンツと同様の構造であって、ブリーフ型パンツなどと比べて体に密着することがないため、良好な開放感を有する。
その素材としては、綿織物など通気性がよく体を締め付けないものが好ましいが、ニット生地など伸縮性に富みフィット感に優れる生地を用いてもよい。
【００１４】
男性局部のサポータ２０は、パンツ本体１０の男性器の前開き１１ｂの左右に配置された左右あて布２１、２２からなる。
左右あて布２１、２２は、それぞれ丸みを帯びた概略逆三角形の生地片からなり、その直線状の内縁部２１ａ、２２ａが男性器の前開き１１ｂの内面の両側に添って縫い付けられ、また上縁部が履き口１１ａに沿って縫い付けられることで、パンツ本体１０に固着されている。
このように、パンツ本体１０の前開き１１ｂに重なり合わないようにサポータ２０が設けられているため、排尿時に前開き１１ｂを通じて男性器が出し入れしやすいようになっている。
【００１５】
また、左右あて布２１、２２の下部は、前開き１１ｂよりもさらに下方に延長され、ここで内縁部２１ａ、２２ａ同士が縫い合わされて支持部２３を形成している。
さらに、左右あて布２１、２２の丸みを帯びた外縁部２１ｂ、２２ｂにはゴム紐が挿入されており、このゴム紐の収縮力により外縁部２１ｂ、２２ｂは収縮している。
とくに、支持部２３の外縁部２１ｂ、２２ｂはパンツ本体１０の上縁履き口１１ａに向けて反り返ることで、支持部２３全体としては椀状（履き口１１ａから見ると凹曲面状）の外観を呈している。
そのため、パンツ１を装着すると、男性局部がこのサポータ２０全体に包み込まれるとともに、その陰嚢が椀状をなす支持部２３に支持されるようになっている。
このようにして男性局部がサポータ２０により支持されるため、左右にずれ動くことがなく、ブリーフ型パンツを履いたときのようなフィット感が得られる。
【００１６】
サポータ２０の生地としては、様々な機能性生地を用いることができる。
例えばメッシュ生地のような通気性の良好な素材（通気性生地）や、ポリエステル等の異形断面繊維からなる吸汗性の良好な素材（吸汗性生地）を用いると、男性局部が蒸れることが防止される。
また、生地自体に接触冷感素材（エチレンビニルアルコール繊維等）を用いたり、生地に接触冷感加工を施したりしてサポータ２０を接触冷感性生地から形成すると、涼しさが向上して夏場用のパンツ１として好適である。
また、サポータ２０に冷却材を入れたり固着したりして男性局部を実際に冷やしてもよい。
【００１７】
逆にサポータ２０に、キルト素材、裏起毛素材、遠赤外線素材、発熱繊維素材、獣毛（ウール、カシミヤ、アンゴラ）素材などの温感性生地を用いると、暖かさが向上して冬場用のパンツ１として好適である。
また、サポータ２０に使い捨てカイロ等の暖房材を入れたり固着したりして男性局部を実際に暖めてもよく、このようにすると、男性局部を温熱治療することができる。
【００１８】
サポータ２０の生地の繊維に香り素材を練り込んだり、後加工で香り付けしたりして、芳香性生地としてもよいし、逆にサポータ２０の生地の繊維に活性炭素などの防臭消臭素材を練り込んだりして消臭防臭性生地としてもよい。
また、サポータ２０の生地にキチンキトサン等を含有する抗菌性生地を用いてもよく、その場合衛生的である。
【００１９】
サポータ２０にパッド等の衝撃吸収材を入れると、スポーツなどをする際に男性局部を保護できるため好ましい。
また、サポータ２０にポケットを設けて避妊具等が入れられるようにしてもよい。
さらに、パンツ本体１０の正面内側から背面内側にまでサポータ２０を延長して、臀部等の汗を吸汗性生地からなるサポータ２０で吸収できるようにしてもよい。
【００２０】
この実施形態では、サポータ２０を左右あて布２１、２２から構成したが、一枚の生地片から袋状に形成してもよい。
また、サポータ２０を二重構造としてもよいし、さらにサポータ２０のパンツ本体１０への固着の方向は縫い付けに限定されず、たとえば溶着などでもよい。
【図面の簡単な説明】
【００２１】
【図１】パンツの正面図
【図２】パンツの縦断背面図
【図３】パンツの一部切り欠き斜視図
【図４】パンツの一部切り欠き側面図
【図５】（ａ）はパンツの上面図、（ｂ）はパンツの下面図
【符号の説明】
【００２２】
１  実施形態のパンツ
１０  パンツ本体
１１  胴部
１１ａ  履き口
１１ｂ  前開き
１１ｃ  ボタン
１２  脚部
２０  サポータ
２１、２２  左右あて布
２１ａ、２２ａ  内縁部
２１ｂ、２２ｂ  外縁部
２３  支持部
【図１】
0003139306.tif 000003
【図２】
0003139306.tif 000004
【図３】
0003139306.tif 000005
【図４】
0003139306.tif 000006
【図５】
0003139306.tif 000007